(57)【特許請求の範囲】
【請求項１】
測定すべき体液に光を透過及び反射させて、その透過光強度及び反射光強度を測定するための光学系と、
前記光学系からの透過光強度の測定結果に基づいて体液の濁度を判定し、かつ、反射光強度の測定結果に基づいて色調を判定する判定部と
を備えた体液分析装置において、
前記判定部における閾値及び判定出力表示を調整可能な調整部を設け、
前記調整部が、調整可能な閾値及び判定出力表示を、少なくとも対応する色を用いてモニターに表示し、モニターに表示された色を見ながら閾値及び判定出力表示を変更することができるように構成されている
ことを特徴とする体液分析装置。
【請求項２】
前記判定部が、色度図を複数の領域に分割し、分割された各領域毎に複数段階に分けて明度を設定し、各領域の各明度段階毎に色調の判定出力表示を設定するように構成されている
ことを特徴とする請求項１に記載の体液分析装置。
【請求項３】
前記調整部が、分割された領域を選択可能に色度図をモニターに表示し、選択した領域の明度の閾値を変更可能に構成されている
ことを特徴とする請求項２に記載の体液分析装置。
【請求項４】
前記調整部が、分割された領域を選択可能に色度図をモニターに表示し、選択した領域の判定出力表示を変更可能に構成されている
ことを特徴とする請求項２又は３に記載の体液分析装置。
【請求項５】
前記調整部が、分割された領域間の閾値を変更可能に色度図をモニターに表示する
ことを特徴とする請求項２〜４の何れか一項に記載の体液分析装置。
【発明の詳細な説明】
【技術分野】
【０００１】
本発明は、色調及び濁度を測定することができる体液分析装置の改良に関する。
【背景技術】
【０００２】
従来から、病院等では、尿に含まれる各種成分を分析し、その分析結果から患者の健康状態を判断するために、患者から尿を採取して、これを分析することが行われている。
尿の分析は、大きく分けて定性分析、定量分析及び沈査分析という３種類の分析方法がある。
定性分析は、尿中に特定の成分が存在しているか否かを判断するための分析であり、短冊状の支持体に複数の検査用試薬部を保持した試験紙等の検査体を用意し、この検査体の試薬部に尿を点着させた後、各試薬部の呈色反応を、反射光度法等の光学的手法により測定する。
出願人は、定性分析法により、尿中に含まれる各種成分を分析する分析装置を既に提案している（特許文献１：特開２００６−２７５６９７公報）。
上記した分析装置は、複数の検査体を収容する検査体保管装置を備え、この検査体保管装置から検査体を順次取り出して、分析に供するように構成されている。
【先行技術文献】
【特許文献】
【０００３】
【特許文献１】特開２００６−２７５６９７公報
【発明の概要】
【発明が解決しようとする課題】
【０００４】
ところで、尿等の体液は、上記したように含有されている各種成分を分析することの他、その外観からも様々な情報を得ることができる。具体的には、採取した体液の濁り具合（濁度）や色（色調）によって様々な情報が得られる。
例えば、尿の場合、肝機能に異常がある時に肝臓の代謝でできる色素が尿の中に出てきて尿が褐色になったり、腎臓・尿管・膀胱・尿道の出血により尿が赤くなったりすることがあり、また、尿路の炎症等により尿が濁ったりすることがある。このため、尿等の体液の成分を分析する体液分析装置には、体液の濁度や色調を判定する機能が付加されているものがある。
しかし、濁度や色調による判定は、標準化されているわけではないので、病院や検査室毎に判断がまちまちである。具体的には、ある病院では、透過率が９０％以下の場合に濁りレベルを最大として検査項目を追加するが、別の病院では、透過率が９３％以下の場合に濁りレベルを最大として検査項目を追加するとか、ある病院では赤いと判断する尿の色が、他の病院ではオレンジ色と判断するとかである。
このため、体液分析装置で濁度や色調を測定して判定をする場合、病院毎に希望する閾値や出力表示が異なり、病院毎に、技術者が設定を行う必要があるという問題がある。
本発明は、上記した従来の問題点を解決し、病院毎に異なる濁度や色調の判定のための閾値や出力表示を容易に設定することができる体液分析装置を提供することを目的としている。
【課題を解決するための手段】
【０００５】
上記した目的を達成するために、本発明に係る体液分析装置は、測定すべき体液に光を透過及び反射させて、その透過光強度及び反射光強度を測定するための光学系と、前記光学系からの透過光強度の測定結果に基づいて体液の濁度を判定し、かつ、反射光強度の測定結果に基づいて色調を判定する判定部とを備えた体液分析装置において、前記判定部における閾値及び判定出力表示を調整可能な調整部を設け、前記調整部が、調整可能な閾値及び判定出力表示を、少なくとも対応する色を用いてモニターに表示し、モニターに表示された色を見ながら閾値及び判定出力表示を変更することができるように構成されている。
【発明の効果】
【０００６】
本発明に係る体液分析装置は、測定すべき体液に光を透過及び反射させて、その透過光強度及び反射光強度を測定するための光学系と、前記光学系からの透過光強度の測定結果に基づいて体液の濁度を判定し、かつ、反射光強度の測定結果に基づいて色調を判定する判定部とを備えた体液分析装置において、前記判定部における閾値及び判定出力表示を調整可能な調整部を設け、前記調整部が、調整可能な閾値及び判定出力表示を、少なくとも対応する色を用いてモニターに表示し、モニターに表示された色を見ながら閾値及び判定出力表示を変更することができるように構成されているので、難しい理論や計算式を理解する必要なく、感覚的に濁度及び色調判定の閾値及び出力色調表示を自分の望むように変更することが可能になる。
【図面の簡単な説明】
【０００７】
【図１】本発明に係る体液分析装置の一実施例の構成を示す概略ブロック図である。
【図２】濁度判定部における透過率に応じた濁度データを示す図である。
【図３】色度図データの一例を示す図である。
【図４】総反射率ＲＴに応じた４段階の明度データを示す図である。
【図５】色調マトリックスデータを示す図である。
【図６】調整部によってモニターを介して表示される色調判定設定変更画面を示す図である。
【図７】調整部によってモニターを介して表示される色調判定設定変更画面を示す図である。
【図８】調整部によってモニターを介して表示される色調判定設定変更画面を示す図である。
【図９】調整部によってモニターを介して表示される色調判定設定変更画面を示す図である。
【図１０】調整部によってモニターを介して表示される色調判定設定変更画面を示す図である。
【発明を実施するための形態】
【０００８】
以下、添付図面に示した一実施例を参照しながら本発明に係る体液分析装置の実施の形態について説明していく。
【０００９】
図１は、本発明に係る体液分析装置の一実施例の構成を示す概略ブロック図である。
この体液分析装置は、ハルンカップや試験管等に入れられた尿等の体液から尿を吸引して測定セルに送り、該測定セルにおいて尿等の体液の色調及び濁度を測定することができるように構成されており、
測定セルに送られてきた体液に光を透過及び反射させて、その透過光強度及び反射光強度を測定するための光学系１と、
光学系１における測定結果に基づいて体液の透過率及び反射率を演算する演算部２と、
演算部２における演算結果に基づいて濁度判定を行う濁度判定部３と、
演算部２における演算結果に基づいて色調判定を行う色調判定部４と、
前記濁度判定部３及び色調判定部４における判定結果を出力するモニター５と
を備えている。
該体液分析装置は、さらに、前記濁度判定部３及び色調判定部４における閾値及び判定出力表示を調整可能な調整部６を備えている。
前記調整部６は、調整可能な閾値及び判定出力表示を色度図等の色付き画像、数値及び文字を用いてモニターに表示し、モニターに表示された色付き画像、数値及び文字を見ながらキーボード、マウス又はタッチパネルによって閾値及び判定出力表示を変更することができるように構成されている。
【００１０】
以下、各処理部の構成について具体的に説明をしていく。
式（１）は、測定セル内にある体液のＩｒ波長の透過率Ｔを求める式である。
Ｔ＝（Ｉ−ＩＢｒ）／（ＩＷ−ＩＢｒ）        （１）
式中、Ｉは測定セル内に体液を入れ、そこに光を照射した時の透過光強度を、ＩＢｒは測定セル内に光を照射していない時の透過光強度を、ＩＷは、測定セル内に洗浄液を入れ、そこに光を照射した時の透過光強度をそれぞれ示している。
演算部２は、光学系１から得られるデータに基づいて上記式（１）に従ってＩＲ波長の透過率Ｔ（％）を算出する。
【００１１】
演算部２で演算されたＩｒ波長の透過率Ｔは、濁度判定部３に送られる。
濁度判定部３は、予め、Ｉｒ波長の透過率Ｔに応じた濁度データを記憶しており（図２参照）、該濁度データに基づいて、Ｉｒ波長の透過率Ｔから濁度を決める。
尚、この実施例では、Ｉｒ波長の透過率Ｔが９５．１％以上の場合は濁度レベルＩであり、同透過率Ｔが９５〜９０．１％の間にある場合は濁度レベルＩＩであり、同透過率Ｔが９０％以下の場合は濁度レベルＩＩＩであり、濁度判定部３は、判定結果（濁度レベルＩ、濁度レベルＩＩ、濁度レベルＩＩＩ）をモニター５に出力する。
【００１２】
色調は、体液に対するＲ波長、Ｇ波長及びＢ波長の反射率から得られる座標と総反射率とに基づいて決められる。
式（２）は各波長の反射率Ｒを求める式である。
Ｒ＝（Ｌ−ＬＢｒ）／（Ｌｗ−ＬＢｒ）      （２）
式中、Ｌは測定セル内に体液を入れ、そこに光を照射した時の反射光強度を、ＬＢｒは測定セル内に光を照射していない時の反射光強度を、ＬＷは、測定セル内に洗浄液を入れ、そこに光を照射した時の反射光強度をそれぞれ示している。
式（２）に従って算出されたＲ波長反射率ＲＲ、Ｇ波長反射率ＲＧ及びＢ波長反射率ＲＢは、次式（３）〜（５）に従ってｘｙｚ座標に変換される。
ｘ＝０．４８９８ＲＲ＋０．３１０１ＲＧ＋０．２００１ＲＢ  （３）
ｙ＝０．１７６９ＲＲ＋０．８１２４ＲＧ＋０．０１０７ＲＢ  （４）
ｚ＝０ＲＲ＋０．０１ＲＧ＋０．９９０３ＲＢ  （５）
さらに上式（３）〜（５）で求められたｘｙｚ座標は次式（６）及び（７）に従ってＸＹｙ座標に変換される。
Ｘ＝ｘ／（ｘ＋ｙ＋ｚ）    （６）
Ｙ＝ｙ／（ｘ＋ｙ＋ｚ）    （７）
演算部２は、光学系１から得られるデータに基づいて上記式（２）〜（７）に従ってＸＹｙ座標を求め、さらに、次式（８）に従って総反射率ＲＴを求める。
ＲＴ＝ＲＲ＋ＲＧ＋ＲＢ        （８）
【００１３】
演算部２によって算出されたＸＹｙ座標及び総反射率ＲＴは色調判定部４に送られる。
色調判定部４は、
ＸＹ座標空間で色を表したＸＹ色度図を１０のエリアに分割したＸＹ色度図データと、
総反射率ＲＴに応じた４段階の明度データと、
色度マップの各エリアと各段階の明度に応じた出力色調表示データから成る色調マトリックスデータと
を有する。
図３は、１０のエリアに分割された色度図データの一例を示している。３原色であるＲＧＢ全部の光の強さの和を１としてＲとＧの光の相対比を使えば、残りのＢの相対比は自動的に決まり、二つの数値を色を決めることができる。図３に示す色度図データは、この考え方に従って二つの数値（Ｘ，Ｙ）で色を表した図であり、図面は白黒であるが、実際にはカラーである。具体的には、エリア１は緑に近く、エリア２は黄色に近く、エリア６に近づくに従って赤色になり、さらに、エリア６からエリア１０に近づくに従って青色になる。
図４は総反射率ＲＴに応じた４段階の明度データを示す図であり、図５は前記色調マトリックスデータを示す図である。
色調判定部４は、演算部２から得られるＸＹ座標に基づいて色度図データから該当するエリア１〜１０を特定し、かつ、演算部２から得られる総反射率ＲＴに基づいて明度の度合い（ＨＨ、Ｈ、Ｍ、Ｌ）を特定し、特定したエリア及び明度度合いに基づいて色調マトリックスデータから出力色調表示を決定してモニター５を介して出力する。
具体的には、例えば、測定した体液から得られるＸＹ座標が（０．４，０．５）であり、総反射率が９０である場合、色度図データのエリアは「エリア２」が選択され、明度は「Ｌ」が選択され、その結果、出力色調表示は「Ｄａｒｋ  Ｂｒｏｗｎ」が選択されて出力される。
【００１４】
次に、調整部の構成について説明していく。
前記したように調整部６は、調整可能な閾値及び判定出力表示を色度図等の色付き画像、数値及び文字を用いてモニターに表示し、モニターに表示された色付き画像、数値及び文字を見ながらキーボード、マウス又はタッチパネルによって閾値及び判定出力表示を変更することができるように構成されている。
図６〜図１０は、調整部によってモニター５を介して表示される色調判定設定変更画面の一例を示している。
色調判定設定の変更を行う場合、調整部６は、始めに図６に示す画面をモニター５に表示する。
この図６の画面では、左側に１０のエリアに分けられた色度図データが表示され、右側に色調マトリックスデータが表示されている。
図７は、使用者が閾値及び判定出力表示を変更したいエリアを選択している状態を示している。この図に示すように、使用者が、マウス又はタッチパネルを介して色度図データの中から変更したいエリアを選択すると、そのエリアの境界線が太線に変わる。
エリアを選択した後、ＯＫボタンをマウス又はタッチパネルを介してクリックすると、図８に示すように、選択したエリアの色に対応する色の明度パラメータバー及び各明度の度合いに応じた出力色調表示が色度図データの右側に表示される。図８において、明度パラメータバーは、３本の閾値バーによって４段階の明度度合いに分割されており、各段階毎に出力色調表示が表示されている。
図９に示すように、各段階の出力色調表示はリストボックスから選択して変更可能であり、また、閾値バーをマウス又はタッチパネルを用いてドラッグして上下に動かすことにより明度の度合いの閾値を変更することもできる。
図９において、閾値及び出力色調表示を変更した後、ＯＫボタンをクリックすると、色度図データの右側にデータ変更後の色調マトリックスデータが再び表示され変更が完了する（図１０）。
調整部６は、図１０の状態でＯＫボタンをクリックすると、変更後のデータを色調判定部４に出力し、これにより、その後の測定から変更後の閾値及び出力色調表示が反映される。
【００１５】
上記したように、調整部６が、モニター５を通して色度図データ、明度パラメータバー及び出力色調表示を表示し、実際に色を見ながら明度の閾値及び出力色調表示を変更することができるように構成されているので、難しい理論や計算式を理解する必要なく、感覚的に色調判定の閾値及び出力色調表示を自分の望むように変更することが可能になる。
【００１６】
上記した実施例では、調整部６は色調判定部４の閾値及び出力色調表示を変更することができるように構成されているが、調整部６の構成は本実施例に限定されることなく、濁度判定部４の閾値及び出力表示も変更するように構成され得ることは勿論である。この場合、例えば、調整部６は、図２に示す濁度データの濁り度合いを、図９及び図１０に示した明度パラメータバーのように数字ではなく色の濃淡で表すバーで表示すると共に、各濁度レベルの閾値をドラッグして移動可能な閾値バーで構成することができる。
さらに、上記した実施例では、調整部６は色調判定部４の明度の閾値及び出力色調表示を変更することができるように構成されているが、これは本実施例に限定されることなく、例えば、色度図の各エリアの境界閾値を変更することができるように構成され得る。
【符号の説明】
【００１７】
１  光学系
２  演算部
３  濁度判定部
４  色調判定部
５  モニター
６  調整部
【図１】
0005929306.tif 000002
【図２】
0005929306.tif 000003
【図５】
0005929306.tif 000004
【図３】
0005929306.tif 000005
【図４】
0005929306.tif 000006
【図６】
0005929306.tif 000007
【図７】
0005929306.tif 000008
【図８】
0005929306.tif 000009
【図９】
0005929306.tif 000010
【図１０】
0005929306.tif 000011